(57)【要約】【課題】  適度なしなりによって使用者に快適性及び安心感を与えることができる背もたれを提供する。【解決手段】  支持部４０に座部３０が支持された椅子本体２０に取り付けられる背もたれ１０であって、複数が互いに間隔をあけて並列配置され基端側に椅子本体２０への取付部１１１を有する長尺の板状部材１１と、複数の板状部材１１の先端側を連結する連結部材１２とを備え、各板状部材１１は、竹を長手方向に切断して形成された可撓性の部材であり、表裏面同士が並列方向に隣り合うように配置されている。【選択図】  図１
2016097047.tif 000002
【特許請求の範囲】
【請求項１】
支持部に座部が支持された椅子本体に取り付けられる背もたれであって、
複数が互いに間隔をあけて並列配置され、基端側に椅子本体への取付部を有する長尺の板状部材と、
複数の前記板状部材の先端側を連結する連結部材とを備え、
前記各板状部材は、竹を長手方向に切断して形成された可撓性の部材であり、表裏面同士が並列方向に隣り合うように配置されている背もたれ。
【請求項２】
前記板状部材の基端側の裏面に補強部材が設けられている請求項１に記載の背もたれ。
【請求項３】
請求項１または２に記載の背もたれが、支持部に座部が支持された椅子本体に取り付けられた椅子。
【請求項４】
前記座部は、互いに間隔をあけて配置された複数の細長部材を備えており、
前記各細長部材の間に前記各板状部材がそれぞれ挿入されて、前記背もたれが前記椅子本体に取り付けられる請求項３に記載の椅子。
【発明の詳細な説明】
【技術分野】
【０００１】
本発明は、背もたれ及びこれを備える椅子に関する。
【背景技術】
【０００２】
従来の椅子として、特許文献１には、細長の竹材を複数並列して上端をゴムベルトで連結した背もたれを有する構成が開示されている。この椅子は、背もたれに体重をかけると、竹材のしなりによって背もたれが大きく弾性変形する。
【先行技術文献】
【特許文献】
【０００３】
【特許文献１】特開２００２−９５５４５号公報
【発明の概要】
【発明が解決しようとする課題】
【０００４】
ところが、上記従来の椅子のように、複数の竹材を単に並列させるだけでは、背もたれの変形が大きくなり過ぎるおそれがあり、快適性や安定性が損なわれるという問題があった。また、このように竹材を大きくしならせると、背もたれに塑性変形が生じるおそれもあった。
【０００５】
そこで、本発明は、適度なしなりによって使用者に快適性及び安心感を与えることができる背もたれの提供を目的とし、更に、この背もたれを備える椅子の提供を目的とする。
【課題を解決するための手段】
【０００６】
本発明の前記目的は、支持部に座部が支持された椅子本体に取り付けられる背もたれであって、複数が互いに間隔をあけて並列配置され、基端側に椅子本体への取付部を有する長尺の板状部材と、複数の前記板状部材の先端側を連結する連結部材とを備え、前記各板状部材は、竹を長手方向に切断して形成された可撓性の部材であり、表裏面同士が並列方向に隣り合うように配置されている背もたれにより達成される。
【０００７】
この背もたれは、前記板状部材の基端側の裏面に補強部材が設けられていることが好ましい。
【０００８】
また、本発明の前記目的は、上記の背もたれが、支持部に座部が支持された椅子本体に取り付けられた椅子により達成される。
【０００９】
この椅子において、前記座部は、互いに間隔をあけて配置された複数の細長部材を備えることが好ましく、前記各細長部材の間に前記各板状部材がそれぞれ挿入されて、前記背もたれが前記椅子本体に取り付けられるように構成することができる。
【発明の効果】
【００１０】
本発明によれば、適度なしなりによって使用者に快適性及び安心感を与えることができる背もたれを提供することができ、更に、この背もたれを備える椅子を提供することができる。
【図面の簡単な説明】
【００１１】
【図１】本発明の一実施形態に係る椅子の斜視図である。
【図２】図１に示す椅子の正面図である。
【図３】図２のＡ−Ａ断面図である。
【発明を実施するための形態】
【００１２】
以下、本発明の実施の形態について、添付図面を参照して説明する。図１及び図２は、それぞれ本発明の一実施形態に係る椅子の斜視図及び正面図である。また、図３は、図２のＡ−Ａ断面図である。図１から図３に示すように、本実施形態の椅子１は、背もたれ１０が椅子本体２０に取り付けられて構成されている。
【００１３】
背もたれ１０は、互いに間隔をあけて複数並列配置された長尺の板状部材１１と、これら複数の板状部材１１の先端側を連結する連結部材１２とを備えている。板状部材１１は、竹を長手方向に沿って切断して薄板状に形成された可撓性の部材であり、連結部材１２とは反対側の基端側に、椅子本体２０への取付部１１１を有している。
【００１４】
板状部材１１は、上記のように竹を長手方向に切断して形成されており、厚み方向に繊維密度の分布を有する。すなわち、板状部材１１の表面側は竹の皮側であり、繊維密度が高い一方、板状部材１１の裏面側は竹の身側であり、繊維密度が低くなっている。このため、板状部材１１に所定の荷重が作用したときに生じるしなりは、裏面側が凸となる場合に比べて表面側が凸となる場合の方が大きくなる。
【００１５】
本実施形態の背もたれ１０は、このような竹材の表裏における繊維密度の違いを利用するものであり、図２に示すように、板状部材１１の表面１１ａ及び裏面１１ｂが交互に並ぶように配置することで、各板状部材１１の表裏面同士が並列方向に隣り合うように構成されている。板状部材１１は、本実施形態においては単層としているが、複数の竹材を積層したものであってもよく、この場合は、一の竹材の表面に他の竹材の裏面が接着するように、順次積み重ねることが好ましい。
【００１６】
連結部材１２は、板状部材１１の先端部の表裏面を挟持する一対の板状体から構成されている。連結部材１２の材料は特に限定されないが、例えば、板状部材１１と同じ竹材を使用することができる。
【００１７】
椅子本体２０は、使用者が座る座部３０と、座部３０を支持する支持部４０とを備えている。座部３０は、背もたれ１０と同様に構成されており、互いに間隔をあけて複数並列配置された細長部材３１と、これら複数の細長部材３１の先端側を連結する連結部材３２とを備えている。細長部材３１は、板状部材１１と同様に竹材から形成することができ、表裏面同士が並列方向に隣り合うように配置されている。
【００１８】
支持部４０は、座部３０の左右両側に配置される一対の脚体４１，４１と、一対の脚体４１，４１の前側及び後側の上部同士をそれぞれ連結する前側横架材４２及び後側横架材４３とを備えている。また、支持部４０は、背もたれ１０及び座部３０の基端側がそれぞれ着脱可能に装着される背もたれ装着部４４及び座部装着部４５を備えている。
【００１９】
背もたれ装着部４４は、一対の脚体４１，４１間の前部に水平に延びるように固定されており、各板状部材１１の取付部１１１を個別に収容する複数の装着孔４４１を有している。また、座部装着部４５は、一対の脚体４１，４１間の背もたれ装着部４４よりも後方において水平に延びるように固定されており、各細長部材３１の基端部３１１を個別に収容する複数の装着孔３１１を有している。座部３０は、使用者が足を延ばして座ることが可能な長さを有しており、座部装着部４５に装着した状態で、下面側が前側横架材４２に当接して支持される。背もたれ１０の各板状部材１１は、座部３０において互いに連接する各細長部材３１の間に挿入されており、背もたれ１０及び座部３０は、側面視において互いに交差する。板状部材１１及び細長部材３１は、互いに交差する部分から先端側が、基端側よりも幅が若干小さくなるように形成されている。
【００２０】
以上の構成を備える椅子１は、使用者が座部３０に座った状態で背もたれ１０に寄りかかると、図３に示すように、背もたれ１０に矢示方向のしなりが生じる。背もたれ１０は、竹材からなる板状部材１１の表裏面同士が並列方向に隣り合うように配置されているので、図２に示すように、繊維密度が相対的に高い表面１１ａ側が正面を向く板状部材１１は、荷重によって大きく変形しようとする一方、繊維密度が相対的に低い裏面１１ｂ側が正面を向く板状部材１１は、自身の変形が小さいために、隣接する板状部材１１の変形を抑制する。この結果、背もたれ１０の全体として過度のしなりを防止することができ、使用者は、快適な使用感と共に安心感を得ることができる。また、背もたれ１０の変形が抑制されることで、板状部材１１の塑性変形を防止することができ、耐久性を高めることができる。
【００２１】
また、座部３０についても背もたれ１０と同様に構成し、背もたれ１０及び座部３０を側面視において交差させているので、背もたれ１０及び座部３０に生じる適度なしなりによって、使用者の全身にリラックス効果を与えることができる。椅子１を使用しないときは、背もたれ１０及び座部３０を支持部４０から取り外すことにより、コンパクトに収納することができる。
【００２２】
板状部材１１は、図３に示すように、基端側の裏面側に補強部材１３が設けられている。補強部材１３は、背もたれ１０と座部３０との交差位置よりも上方位置から基端まで延びており、この部分における板状部材１１の湾曲を規制することにより、背もたれ１０のしなりを所望の高さ位置から生じさせて、使用者の快適性を向上させることができる。補強部材１３として竹材を使用する場合には、繊維密度が高い表面側が露出するように配置することが好ましい。
【符号の説明】
【００２３】
１  椅子
１０  背もたれ
１１  板状部材
１１ａ  表面
１１ｂ  裏面
１１１  取付部
１２  連結部材
２０  椅子本体
３０  座部
３１  細長部材
４０  支持部
【図１】
2016097047.tif 000003
【図２】
2016097047.tif 000004
【図３】
2016097047.tif 000005